(57)【特許請求の範囲】
【請求項１】
モジュール上方にソーラーセルを積層し支持部材で固定すると共に、前記ソーラーセルの上方に表示板を固定したソーラー時計用表示板の構造において、前記表示板は、光を透過する上文字板と、該上文字板の下面の一部と一体となった下文字板とよりなり、前記上文字板の外形は、前記ソーラーセルの外形より大きく、かつ前記支持部材の外形より少なくとも同寸か寸大であり、前記支持部材に形成した位置決め部に前記下文字板に形成した位置決め部を係合させたことを特徴とするソーラー時計用表示板構造。
【請求項２】
前記支持部材の位置決め部は、凹部または凸部からなり、一方、下文字板の位置決め部は、前記支持部材の位置決め部に係合させるための凸部または凹部からなることを特徴とする請求項１に記載のソーラー時計用表示板構造。
【請求項３】
前記上文字板は、前記支持部材の内形と同形または僅かに小さい透明窓部と、装飾処理を施した前記透明窓部以外の部分からなることを特徴とする請求項１に記載のソーラー時計用表示板構造。
【請求項４】
前記装飾処理により前記支持部材が見えなくなることを特徴とする請求項３に記載のソーラー時計用表示板構造。
【請求項５】
前記支持部材は前記モジュールの上面に一体または別体に設けられたことを特徴とする請求項１に記載のソーラー時計用表示板構造。
【請求項６】
前記下文字板はリング状であることを特徴とする請求項１または２に記載のソーラー時計用表示板構造。
【請求項７】
前記上文字板と前記下文字板は、一体成形によって、または別体で製作後、一体として表示板としたことを特徴とする請求項１に記載のソーラー時計用表示板構造。
【発明の詳細な説明】
【０００１】
【発明の属する技術分野】
本発明は、ソーラーセルを用いた腕時計の表示板（文字板）と該表示板の取付け構造に係わり、特にソーラーセルのセル面の外形より大きな表示板の使用を可能としたソーラー時計用表示板構造に関する。
【０００２】
【従来の技術】
以下、ソーラー時計用表示板構造の従来例を図面に基づいて説明する。図８は従来のソーラー時計用表示板構造の要部分解斜視図、図９は同ソーラー時計用表示板構造の平面図、図１０は同ソーラー時計用表示板構造の断面図である。
【０００３】
図８に示すようにソーラー時計用表示板構造の要部は、モジュール１０とソーラーセル２０と支持部材３０と文字板である表示板４０がそれぞれ積層され、一体に構成されている。
【０００４】
モジュール１０は、内部機構と連動した針軸１１を中心部に突出させ、上面をソーラーセル２０の載置部１２とし、外端に複数の係止凹部１３を等角に形成しさらに載置部１２の面上に位置決め突起１４を突設してある。
【０００５】
また、ソーラーセル２０は、挿通孔２１を中心部に穿設し、上面にリング状に打ち抜きした粘着シートを貼着して絶縁と干渉防止の隙間を形成する段部２２を設け、その内径は受光面２０Ａの外形（径）Ｄ０と略一致している。また外端に係止凹部１３の外形と平面視略同一の形状を有する切欠部２３を設け、さらに位置決め凹部２４を位置決め突起１４と対向する箇所に形成してある。
【０００６】
また、リング状の支持部材３０は、上面３０Ａに少なくとも２ヵ所の位置決め凹部３２と下面３０Ｂの前記係止凹部１３と対向する箇所に同数の係止フック３３を設け、前記表示板４０と嵌合する嵌合部３１を有し、その内形（径）Ｄ１は、前記受光面２０Ａの外形（径）Ｄ０と同形（径）を成し、さらに外形（径）は、前記モジュール１０の外形形状と略一致するよう一体に形成されている。
【０００７】
また、支持部材３０の内形（径）Ｄ１より僅かに形（径）小の外形（径）Ｄ２を有し光を透過する部材より成る表示板４０は、表部に印刷、接着等により時字４０Ａを設け、中心部にソーラーセル２０の挿通孔２１と連通する挿通孔４１を穿設し、外端の位置決め凹部３２と対向する箇所に位置決め凸部４２を外方に突設してある。
【０００８】
そして、モジュール１０の針軸１１をソーラーセル２０の挿通孔２１に挿通すると共に位置決め突起１４を位置決め凹部２４に係止させてソーラーセル２０を載置部１２に載置し、次に外形形状が略一致する係止凹部１３と切欠部２３が成す係止部に係止フック３３を適宜の位置に合わせ支持部材３０の上面３０Ａを押圧すると下面３０Ｂによりソーラーセル２０の段部２２を挟むように係止凹部１３と係止フック３３が係止固定される。
【０００９】
さらに、支持部材３０の位置決め凹部３２と表示板４０の位置決め凸部４２をを係合することにより表示板４０は、支持部材３０に係合してソーラー時計用表示板構造は、一体に構成されユニット化される。この際、図９に示す様にモジュール１０及びソーラーセル２０の外径は、支持部材３０の外形（径）Ｄを越えることはない。
【００１０】
上記のようにユニット化されたソーラー時計用表示板構造は、図１０に示すように、胴５０の下方より配設し、段部５０Ａにリング状のパッキン５１を周設して裏蓋５２を前記胴５０に螺着または圧入等により取付ける。次に、前記針軸１１に時針１１ｈ、分針１１ｍ、秒針１１ｓをそれぞれ取付け、さらに上方の段部５０Ｂにリング状のパッキン５３を周設した後、上方より風防５４を圧入し、腕時計Ｗを構成している。
【００１１】
上記の如く構成されたソーラー時計用表示板構造は、見切り形（径）Ｄ５を有する胴５０の段部５０Ｃで支持部材３０の上面３０Ａと裏蓋５２の内部に突設した当接部５２Ａによりモジュール１０の底部とを挟持固定する。従って、表示板４０の外径Ｄ２と見切り形（径）Ｄ５とは、Ｄ２≧Ｄ５の関係となり見切り形（径）Ｄ５が腕時計Ｗの視認可能な表示面となる。
【００１２】
【発明が解決しようとする課題】
しかしながら、上記した従来のソーラー時計用表示板構造にあっては、ソーラーセル２０の受光面２０Ａの外形（径）Ｄ０より大きな表示部を有する表示板を使用することができなかった。また、一般的にユニット化されるモジュール、ソーラーセル、支持部材、表示板はともにソーラーセルの発電効率を考慮すると円形状が機能的に最適であるため異形（見切り部）の表示板を使用することができず、デザインバリエーションの拡大に制約がある等の欠点があった。
【００１３】
本発明の目的は、上記従来技術の欠点を解消し、ソーラーセル２０の受光面２０Ａの外形（径）Ｄ０より大きな表示部を有する表示板が使用でき、さらに、従来と同様なモジュール、ソーラーセル、支持部材を使用しても発電効率を低下させることなく、異形（見切り部）の表示板を使用することが可能となり、従って自由なデザイン表現ができデザインバリエーションの拡大が図ることが可能なソーラー時計用表示板構造を提供することにある。
【００１４】
【課題を解決するための手段】
上記の目的を達成するために、請求項１の発明に係るソーラー時計用表示板構造は、モジュール上方にソーラーセルを積層し支持部材で固定すると共に、前記ソーラーセルの上方に表示板を固定したソーラー時計用表示板の構造において、前記表示板は、光を透過する上文字板と、該上文字板の下面の一部と一体となった下文字板とよりなり、前記上文字板の外形は、前記ソーラーセルの外形より大きく、かつ前記支持部材の外形より少なくとも同寸か寸大であり、前記支持部材に形成した位置決め部に前記下文字板に形成した位置決め部を係合させたことを特徴とする。
【００１５】
また、上記の目的を達成するために、請求項２の発明に係るソーラー時計用表示板構造は、前記支持部材の位置決め部は、凹部または凸部からなり、一方、下文字板の位置決め部は、前記支持部材の位置決め部に係合させるための凸部または凹部からなることを特徴とする。
【００１６】
また、上記の目的を達成するために、請求項３の発明に係るソーラー時計用表示板構造は、前記上文字板は、前記支持部材の内形と同形または僅かに小さい透明窓部と、装飾処理を施した前記透明窓部以外の部分からなることを特徴とする。
【００１７】
また、上記の目的を達成するために、請求項４の発明に係るソーラー時計用表示板構造は、前記装飾処理により前記支持部材が見えなくなることを特徴とする。
【００１８】
また、上記の目的を達成するために、請求項５の発明に係るソーラー時計用表示板構造は、前記支持部材は前記モジュールの上面に一体または別体に設けられたことを特徴とする。
【００１９】
また、上記の目的を達成するために、請求項６の発明に係るソーラー時計用表示板構造は、前記下文字板はリング状であることを特徴とする。
【００２０】
また、上記の目的を達成するために、請求項７の発明に係るソーラー時計用表示板構造は、前記上文字板と前記下文字板は、一体成形によって、または別体で製作後、一体として表示板としたことを特徴とする。
【００２５】
【発明の実施の形態】
以下、本発明の実施の形態を図面に基づいて説明する。
【００２６】
（実施例１）
本発明に係るソーラー時計用表示板構造の実施例１を図１から図３に示す。
図１は本発明に係るソーラー時計用表示板構造の要部分解斜視図、図２はソーラー時計用表示板構造の同平面図、図３は同ソーラー時計用表示板構造の断面図である。
【００２７】
ソーラー時計用表示板構造の実施例１にあっては、上記した従来例との重複を避け同一構成については同一符号を付しての説明を省略する。
図１に示す様に異形の外形形状を有する上文字板１は、中心部に挿通孔２を穿設し、表部に印刷、接着等により時字１Ａを設け、またソーラーセル２０の受光面２０Ａと対向する面は、支持部材３０の内形（径）Ｄ１と同形（径）または僅かに小さい透明窓部３を有しいる。また該透明窓部３以外の外方面３Ａは、下方に位置する支持部材３０が見えない様に印刷、シール等により表部または裏部に装飾処理を施し、外観の見てくれをよくしている。また、上文字板１の外形寸法は、支持部材３０の外形（径）Ｄより少なくとも同寸か寸大となっている。
【００２８】
また、下文字板４は、光を透過する部材から成り、中心部にソーラーセル２０の挿通孔２１と連通する挿通孔５穿設し、そして支持部材３０の位置決め部である位置決め凹部３２と対向する箇所に位置決め部である位置決め凸部６を外方に突設してある。さらに、下文字板４は、支持部材３０の内径Ｄ１より僅かに形（径）小の外形（径）Ｄ２を有している。さらに、上文字板１の下面１Ｂと下文字板４の上面４Ａは挿通孔２と挿通孔５を同心に連通し接着剤等の固着手段により固着されて表示板８を形成する。
【００２９】
そして、前記従来例と同様に構成されたモジュール１０とソーラーセル２０及び支持部材３０の上方より該支持部材３０の位置決め凹部３２に下文字板４の位置決め凸部６を係合することにより表示部８は、支持部材３０に係合し、ソーラー時計用表示板構造の要部は、一体にユニット化される。さらに、図２に示す様にモジュール１０とソーラーセル２０及び支持部材３０の外径Ｄは、表示部８の外端を越えることはない。
【００３０】
上記のようにユニット化されたソーラー時計用表示板構造は、図３に示す様に前記針軸１１に時針１１ｈ、分針１１ｍ、秒針１１ｓをそれぞれ取付け、外胴６０の上方より該外胴６０の内部の下方の段部６０Ｂに支持部材３０の係止フック３３の先端が当接し、モジュール１０等のユニット化されたものが外胴６０の内部に載置される。次に、段部６１Ａにパッキン６３を周設して上方より風防６２を圧入固定した内胴６１を段部６０Ａにパッキン６４を周設した外胴６０の上方より圧入固定して腕時計Ｗ１を構成する。
【００３１】
上記の如く構成されたソーラー時計用表示板構造は、見切り形（径）Ｄ６を有する内胴６１の段部６１Ｂで表示板８である上文字板１の外方面３Ａの外端と外胴６０の段部６０Ｂに係止フック３３の先端が当接することでモジュール１０を挟持し固定する。従って、図２及び図３からも明らかなように表示板８の外形Ｄと見切り形（径）Ｄ６及び受光面２０Ａの外形（径）Ｄ０とは、Ｄ０＜Ｄ６＜Ｄの関係となり見切り形（径）Ｄ６が腕時計Ｗ１の視認可能な表示面となる。
【００３２】
（実施例２）
本発明に係るソーラー時計用表示板構造の実施例２を図４から図６に示す。
図４は本発明に係るソーラー時計用表示板構造の要部の分解斜視図、図５は同平面図、図６は同ソーラー時計用表示板構造の断面図、図７は同ソーラー時計用表示板構造の他の実施例の要部分解斜視図である。
【００３３】
ソーラー時計用表示板構造の実施例２にあっては、上記した従来例との重複を避け同一構成については同一符号を付しての説明を省略する。
図４に示すようにモジュール１０の上面に一体または別体に固定手段により設けられた支持部材１３０は中心部に前記モジュール１０の中心部に設けられた針軸１１を挿通する挿通孔１３１を穿設し、外端に位置決め部である位置決め凹部１３２を形成してある。
【００３４】
また、ソーラーセル１２０は、挿通孔１２１を中心部に穿設し、上面にリング状に打ち抜きした粘着シートを貼着して絶縁と干渉防止の隙間を形成する段部１２２を設け、その内形（径）は受光面１２０Ａの外形（径）Ｄ０と一致している。また外端に切欠部１２３を設けてある。
【００３５】
また、表示板１４０は、上面の中心部に挿通孔１４１を穿設し、従来例と同様な手段により時字１４０Ａを設けた上文字板１４２と下面にリング状の下文字板１４３を一体に成形し、リング状の内形（径）はソーラーセル１２０の外形（径）より僅かに形（径）大の嵌合凹部１４４を形成している。さらに、該嵌合凹部１４４の内周部に内方に向かって位置決め部である位置決め凸部１４５を一体に設けてある。
【００３６】
そして、前記した挿通孔１３１に針軸１１を挿通して適宜の位置に一体に固定した支持部材１３０の上方よりソーラーセル１２０の挿通孔１２１に針軸１１を挿通すると共に位置決め凹部１２３と位置決め凹部１３２とを平面視一致させる様にソーラーセル１２０を支持部材１３０に載置する。次に表示板１４０の嵌合凹部１４４をソーラーセル１２０の上方より覆設し、位置決め凸部１４５を位置決め凹部１２３と位置決め凹部１３２に嵌め込むことにより本実施例のソーラー時計用表示板構造となる。
【００３７】
上記のようにユニット化されたソーラー時計用表示板構造は、図６からも明らかな様に実施例１と同様な構成により腕時計Ｗ２を構成する。この際、前記したソーラー時計用表示板構造の表示板１４０の上面の外縁を内胴６１の段部６１Ｂとモジュール１０の載置部１２の下面１２Ｂが外胴６０の段部６０Ａ′により挟持固定される。従って、実施例１同様、内胴６１の見切り形（径）Ｄ６が腕時計Ｗ２の視認可能な表示面となる。
【００３８】
また、図７に示すように従来例または実施例１と共通の部材を用いて実施例２の表示板１４０と同様の構成を持つ表示板１５０による他の実施例について簡単に説明すると、表示板１５０は、上面の中心部に挿通孔１５１を穿設し、従来例と同様な手段により時字１５０Ａを設けた上文字板１５２とリング状の下文字板１５３は、支持部材３０の外径Ｄより僅かに形（径）大の内形（径）を有する嵌合凹部１５４を形成している。さらに、該嵌合凹部１５４の内周部に内方に向かって位置決め部である位置決め凸部１５５を一体に設けてある。さらに上文字板１５２の下面１５２Ｂと下文字板１５３の上面１５３Ａは接着剤等の固着手段により固着されて表示板１５０を形成する。
【００３９】
そして上記実施例１と共通のユニット化されたモジュール１０とソーラーセル２０及び支持部材３０の位置決め凹部３２に位置決め凸部１５５を嵌め込むことにより支持部材３０は嵌合凹部１５４に嵌合され表示板１５０は層設される。上記のようにユニット化されたソーラー時計用表示板構造は、実施例１と同様の構成で腕時計を成す。
【００４０】
また、上記実施例１において、図示しないが表示板８の透明窓部３は下方に位置する支持部材３０が見えない範囲で異形の透明窓部であってもよい。また、下文字板４に位置決め凹部を設け、支持部材３０の対向する箇所に位置決め凸部を設けてもよい。あるいは、表示板８の取付け位置の精度を高めるため支持部材３０の位置決め凹部３２の上方に位置決めピンを突設し、対向する下文字板４の位置決め凸部６に係合する凹部または孔を設けてもよい。さらに、支持部材３０の下方に形成された係止フック３３は特に設けなくとも実施例２と同様に腕時計Ｗ１内に挟持固定されることは実施形態として当然考えられる。
【００４１】
また、上記実施例２において、図示しないが表示板１４０は、異形または円形形状とした上文字板１４２とリング状の下文字板１４３を別体に成形して実施例１と同様に接着剤等の固着手段により一体に固着して表示板１４０を形成してもよい。また、表示板１５０は上文字板１５２と下文字板１５３を一体に成形してもよい。さらに、上記実施例において腕時計Ｗ１、Ｗ２は共に上開構造のケースとしたが、従来例と同様に裏蓋による下開構造のケースであっても実施可能なことは、さらに言うまでもない。
【００４２】
【発明の効果】
上記した本発明によれば、従来と同様なソーラーセルを使用しても発電効率を低下させることなく、ソーラーセルの受光面の外形より大きな表示部を有する表示板の使用が可能となったばかりか、表示板の表示部が異形（見切り部）にすることができ、従って自由なデザイン表現ができデザインバリエーションの拡大が図れ外観品質が向上すること等の効果があった。
【図面の簡単な説明】
【図１】本発明に係るソーラー時計用表示板構造の実施例１の要部分解斜視図である。
【図２】本発明に係るソーラー時計用表示板構造の実施例１の平面図である。
【図３】本発明に係るソーラー時計用表示板構造の実施例１の断面図である。
【図４】本発明に係るソーラー時計用表示板構造の実施例２の要部分解斜視図である。
【図５】本発明に係るソーラー時計用表示板構造の実施例２の平面図である。
【図６】本発明に係るソーラー時計用表示板構造の実施例２の断面図である。
【図７】本発明に係るソーラー時計用表示板構造の他の実施例の要部分解斜視図である。
【図８】従来のソーラー時計用表示板構造の要部分解斜視図である。
【図９】従来のソーラー時計用表示板構造の平面図である。
【図１０】従来のソーラー時計用表示板構造の断面図である。
【符号の説明】
１、１４２、１５２  上文字板
１Ａ、１４０Ａ、１５０Ａ  時字
２、５、１４１、１５１  挿通孔
３  透明窓部
３Ａ  外方面
４、１４３、１５３  下文字板
６、１４５、１５５  位置決め凸部
８、１４０、１５０  表示板
Ｗ１、Ｗ２  腕時計
１０  モジュール
１１  針軸
１２  載置部
１３  係止凹部
１４  位置決め突起
２０  ソーラーセル
２２  段部
２０Ａ  受光面
２３  切欠部
２４  位置決め凹部
３０  支持部材
３２、１３２  位置決め凹部
３３  係止フック
【図１】
0003810536.tif 000002
【図２】
0003810536.tif 000003
【図３】
0003810536.tif 000004
【図４】
0003810536.tif 000005
【図５】
0003810536.tif 000006
【図６】
0003810536.tif 000007
【図７】
0003810536.tif 000008
【図８】
0003810536.tif 000009
【図９】
0003810536.tif 000010
【図１０】
0003810536.tif 000011